(57)【要約】【課題】放送の切り替わりにおける音質の変化を低減すること。【解決手段】本実施形態に係る放送受信装置は、受信部と、抑制部と、予測部とを備える。受信部は、放送内容が同一のアナログ放送の信号およびデジタル放送の信号を受信する。抑制部は、受信部によって受信されるアナログ放送の信号の受信状態に基づいてアナログ放送の音響特性についてノイズの抑制処理を行う。予測部は、受信部によって受信されるデジタル放送の信号の受信状態に基づいてアナログ放送およびデジタル放送の一方の放送から他方の放送へ放送の切り替わりを予測する。また、抑制部は、予測部によって放送が切り替わると予測された場合に、抑制処理を中止し、アナログ放送の音響特性をデジタル放送の音響特性へ近づける。【選択図】図１
2018195890.tif 000002
【特許請求の範囲】
【請求項１】
放送内容が同一のアナログ放送の信号およびデジタル放送の信号を受信する受信部と、
前記受信部によって受信される前記アナログ放送の信号の受信状態に基づいて前記アナログ放送の音響特性についてノイズの抑制処理を行う抑制部と、
前記受信部によって受信される前記デジタル放送の信号の受信状態に基づいて前記デジタル放送から前記アナログ放送へ放送の切り替わりを予測する予測部と
を備え、
前記抑制部は、
前記予測部によって前記放送が切り替わると予測された場合に、前記抑制処理を中止し、前記アナログ放送の音響特性を前記デジタル放送の音響特性へ近づけること
を特徴とする放送受信装置。
【請求項２】
前記予測部によって放送が切り替わると予測された場合に、前記デジタル放送の音響特性を前記アナログ放送の音響特性へ近づける調整処理を行う調整部
をさらに備えること
を特徴とする請求項１に記載の放送受信装置。
【請求項３】
前記抑制部は、
前記アナログ放送の音響特性を前記調整部によって調整される前記デジタル放送の音響特性まで近づけること
を特徴とする請求項２に記載の放送受信装置。
【請求項４】
前記調整部は、
前記デジタル放送の音響特性を所定の変化率で前記アナログ放送の音響特性へ近づけ、
前記抑制部は、
前記放送が切り替わった後に前記アナログ放送の音響特性が前記変化率で変化するように、前記抑制処理を再開すること
を特徴とする請求項２または３に記載の放送受信装置。
【請求項５】
前記抑制部が前記アナログ放送の音響特性を前記デジタル放送の音響特性へどこまで近づけるかの操作を受け付ける受付部
をさらに備えること
を特徴とする請求項１〜４のいずれか一つに記載の放送受信装置。
【請求項６】
周囲の環境を示す環境情報を取得する取得部
をさらに備え、
前記抑制部は、
前記取得部によって取得された前記環境情報に基づいて前記アナログ放送の音響特性を前記デジタル放送の音響特性へどこまで近づけるかを決定すること
を特徴とする請求項１〜５のいずれか一つに記載の放送受信装置。
【請求項７】
前記受信部は、
前記放送内容のコンテンツを示すコンテンツ情報を受信し、
前記抑制部は、
前記受信部によって受信された前記コンテンツ情報に基づいて前記アナログ放送の音響特性を前記デジタル放送の音響特性へどこまで近づけるかを決定すること
を特徴とする請求項１〜６のいずれか一つに記載の放送受信装置。
【請求項８】
放送内容が同一のアナログ放送の信号およびデジタル放送の信号を受信する受信工程と、
前記受信工程によって受信される前記アナログ放送の信号の受信状態に基づいて前記アナログ放送の音響特性についてノイズの抑制処理を行う抑制工程と、
前記受信工程によって受信される前記デジタル放送の信号の受信状態に基づいて前記デジタル放送から前記アナログ放送へ放送の切り替わりを予測する予測工程と
を含み、
前記抑制工程は、
前記予測工程によって前記放送が切り替わると予測された場合に、前記抑制処理を中止し、前記アナログ放送の音響特性を前記デジタル放送の音響特性へ近づけること
を特徴とする放送受信方法。
【発明の詳細な説明】
【技術分野】
【０００１】
本発明は、放送受信装置および放送受信方法に関する。
【背景技術】
【０００２】
従来、ＩＢＯＣ（In  Band  On  Channel）方式によって放送される放送内容が同一のデジタル放送とアナログ放送とを同時に受信する放送受信装置がある。
【０００３】
かかる放送受信装置として、デジタル放送またはアナログ放送の一方の放送から他方の放送へ切り替える場合に、切り替え前の放送の音響特性を切り替え後の放送の音響特性へ近づけるものがある（例えば、特許文献１参照）。
【先行技術文献】
【特許文献】
【０００４】
【特許文献１】特開２０１２―４７５０号公報
【発明の概要】
【発明が解決しようとする課題】
【０００５】
しかしながら、従来の技術では、音響特性の切り替え制御が十分でなく、放送の切り替わりにおいて音質が変化し、ユーザに聴覚上の違和感を与えるおそれがあった。
【０００６】
本発明は、上記に鑑みてなされたものであって、放送の切り替わりにおける音質の変化を低減することができる放送受信装置および放送受信方法を提供することを目的とする。
【０００７】
上述した課題を解決し、目的を達成するために、本発明は、放送受信装置において、受信部と、抑制部と、予測部とを備える。受信部は、放送内容が同一のアナログ放送の信号およびデジタル放送の信号を受信する。抑制部は、前記受信部によって受信される前記アナログ放送の信号の受信状態に基づいて前記アナログ放送の音響特性についてノイズの抑制処理を行う。予測部は、前記受信部によって受信される前記デジタル放送の信号の受信状態に基づいて前記デジタル放送から前記アナログ放送へ放送の切り替わりを予測する。また、抑制部は、前記予測部によって放送が切り替わると予測された場合に、前記抑制処理を中止し、前記アナログ放送の音響特性をデジタル放送の音響特性へ近づける。
【発明の効果】
【０００８】
本発明によれば、放送の切り替わりにおける音質の変化を低減することができる。
【図面の簡単な説明】
【０００９】
【図１】図１は、放送受信方法の概要を示す図である。
【図２】図２は、放送受信装置のブロック図である。
【図３】図３は、予測部による予測処理の具体例を示す図である。
【図４】図４は、放送受信装置の動作を説明する図（その１）である。
【図５】図５は、放送受信装置の動作を説明する図（その２）である。
【図６】図６は、放送受信装置が実行する処理手順を示すフローチャート（その１）である。
【図７】図７は、放送受信装置が実行する処理手順を示すフローチャート（その２）である。
【図８】図８は、アナログ放送の音響特性とノイズレベルの関係を示す図である。
【発明を実施するための形態】
【００１０】
以下、添付図面を参照して、実施形態に係る放送受信装置および放送受信方法を詳細に説明する。なお、以下に示す実施形態によりこの発明が限定されるものではない。
【００１１】
また、以下では、ＩＢＯＣ（In  Band  On  Channel）方式で放送される同一の放送内容を含むデジタル放送とアナログ放送とを同時に受信する放送受信装置および放送受信方法について説明する。
【００１２】
まず、実施形態に係る放送受信方法の概要について図１を用いて説明する。図１は、放送受信方法の概要を示す図である。かかる放送受信方法は、図２にて後述する放送受信装置によって実行される。
【００１３】
なお、ここでは、デジタル放送を出力中に、アナログ放送へ放送が切り替わる場合を例に挙げて説明する。また、図１のＡは、アナログ放送の信号（以下、「アナログ放送信号」という）の受信電界強度（以下、「Ｓレベル」という）を示す。なお、かかるＳレベルは、アナログ放送信号の受信状態を表す指標であり、実施形態に係る放送受信方法では、Ｓレベル以外にもマルチパスレベルや混信レベルなどその他の指標を用いることもできる。
【００１４】
図１のＢは、放送の切り替わりを予測するフラグを示す。なお、実施形態に係る放送受信方法では、デジタル放送の信号（以下、「デジタル放送信号」という）の受信状態に基づいてかかる放送の切り替わりを予測することができる。この点の詳細については、図３を用いて後述する。
【００１５】
図１のＣは、出力中の音声がデジタル放送またはアナログ放送のどちらであるかを示す。また、図１のＤは、アナログ放送の音響特性を示し、図１のＥは、デジタル放送の音響特性を示す。そして、図１のＦは、出力中の音響特性を示す。
【００１６】
なお、実施形態に係る放送受信方法では、音圧／帯域幅、ハイカット処理／ステレオセパレーション等を制御することでデジタル放送およびアナログ放送の音響特性を制御することができる。
【００１７】
ここで、ＩＢＯＣでは、アナログ放送とデジタル放送との放送内容が同一であるが、音響特性に違いがある。具体的には、アナログ放送は受信状態によって音声にノイズが混入しやすい場合がある。このため、上述した受信状態を表す指標（Ｓレベル、マルチパスレベル、混信レベル等）に基づいてアナログ放送の音響特性についてノイズの抑制処理を行うのが一般的である。
【００１８】
このため、アナログ放送の音響特性は、デジタル放送の音響特性に比べて、音圧などが低下する。したがって、従来の放送受信装置では、放送が切り替わる場合に、放送の切り替わりの前後で音質が変化し、ユーザへ聴覚上の違和感を与えてしまうおそれがあった。
【００１９】
そこで、実施形態に係る放送受信方法では、放送が切り替わる場合に、アナログ放送の音響特性に対するノイズの抑制処理を敢えて中止することで、放送の切り替わりにおける音質の変化を低減することとした。
【００２０】
具体的には、実施形態に係る放送受信方法では、デジタル放送からアナログ放送へ放送の切り替わりを予測した時刻ｔ３において図１のＤに示すように、アナログ放送の音響特性についてノイズの抑制処理を中止する。これにより、アナログ放送の音響特性をデジタル放送の音響特性へ近づけることができる。
【００２１】
また、実施形態に係る放送受信方法では、放送が切り替わると予測した時刻ｔ３において図１のＥに示すように、デジタル放送の音響特性をアナログ放送の音響特性へ近づける処理を開始する。
【００２２】
そして、実際にデジタル放送からアナログ放送へ放送が切り替わる時刻ｔ４において、図１のＤに示すように、アナログ放送の音響特性に対するノイズの抑制処理を再開する。これにより、出力中のアナログ放送の音響に対するノイズの混入を抑制することができる。
【００２３】
ここで、実施形態に係る放送受信方法では、時刻ｔ４においてデジタル放送の音響特性と、アナログ放送の音響特性が一致するように、デジタル放送およびアナログ放送の音響特性を制御する。
【００２４】
また、実施形態に係る放送受信方法では、時刻ｔ３〜ｔ４の期間におけるデジタル放送の音響特性と、時刻ｔ４以降のアナログ放送の音響特性との変化率が一致するように、デジタル放送の音響特性およびアナログ放送の音響特性を制御する。
【００２５】
換言すると、実施形態に係る放送受信方法では、図１のＥに示す時刻ｔ３〜ｔ４の期間におけるデジタル放送の音響特性の傾きと、図１のＤに示す時刻ｔ４〜ｔ５の期間におけるアナログ放送の音響特性の傾きが一致するように、デジタル放送の音響特性およびアナログ放送の音響特性をそれぞれ制御する。
【００２６】
これにより、図１のＦに示すように、放送が切り替わる時刻ｔ４前後においてデジタル放送の音響特性からアナログ放送の音響特性へ滑らかに音質を切り替えることができる。
【００２７】
また、実施形態に係る放送受信方法では、デジタル放送の音響特性と、アナログ放送の音響特性を連動させて制御することにより、時刻ｔ２〜時刻ｔ５までの長い期間をかけてデジタル放送の音響特性からアナログ放送の音響特性へ徐々に切り替えることが可能となる。すなわち、単位時間当たりの音質の変化を少なくすることができる。
【００２８】
したがって、実施形態に係る放送受信方法によれば、放送の切り替わりにおける音質の変化を低減することができる。
【００２９】
次に、図２を用いて実施形態に係る放送受信装置１の構成について説明する。図２は、放送受信装置１のブロック図である。なお、図２には、アンテナ１００およびスピーカ１０１を併せて示す。なお、かかる放送受信装置１は、例えば、車両などの移動体に搭載される。
【００３０】
図２に示すように、実施形態に係る放送受信装置１は、受信部１１と、アナログ／デジタル変換器（以下、「ＡＤＣ」という）１２と、アナログ復調部１３と、抑制部１４と、デジタル復調部１５と、調整部１６と、Ｓレベル検知部１７と、予測部１８と、ブレンド部１９とを備える。
【００３１】
受信部１１は、ＩＢＯＣ方式により所定の周波数帯域内で放送されている放送内容が同一のデジタル放送およびアナログ放送をアンテナ１００によって受信する。
【００３２】
具体的には、受信部１１は、ユーザにより図示しない操作部によって選択された放送チャンネルの周波数帯域で放送されている放送信号をアンテナ１００によって受信する。
【００３３】
そして、受信部１１は、受信した放送信号からデジタル放送で使用されているデジタル放送信号と、アナログ放送で使用されているアナログ放送信号とを取得し、デジタル放送信号およびアナログ放送信号の周波数を中間周波数へ変換してＡＤＣ１２へ出力する。
【００３４】
また、受信部１１は、放送内容のコンテンツを示すコンテンツ情報を受信し、かかるコンテンツ情報をＡＤＣ１２およびＳレベル検知部１７を介して予測部１８へ出力することもできる。なお、実施形態に係る放送受信装置１では、かかるコンテンツ情報に基づいてアナログ放送の音響特性を制御することができるが、この点の詳細については、図８を用いて後述する。
【００３５】
ＡＤＣ１２は、受信部１１から入力されるアナログのデジタル放送信号およびアナログ放送信号をデジタルのデジタル放送信号およびアナログ放送信号へ変換する。そして、ＡＤＣ１２は、変換後のアナログ放送信号をアナログ復調部１３およびＳレベル検知部１７へ出力し、変換後のデジタル放送信号をデジタル復調部１５へ出力する。
【００３６】
アナログ復調部１３は、周波数変調または振幅変調されているアナログ放送信号を復調して抑制部１４へ出力する。抑制部１４は、例えば、オートセパレーションコントロールや、ソフトミュート機能によりアナログ放送の音響特性についてノイズの抑制処理を行う。
【００３７】
具体的には、抑制部１４は、アナログ放送の受信状態が悪化すると、アナログ放送信号のゲインを減衰させることで、アナログ放送の音圧を低下させたり、ハイカット処理によりノイズが混入しやすい周波数帯域の成分をカットしたりすることができる。
【００３８】
また、抑制部１４は、アナログ放送の受信状態が悪化すると、ＳＵＢ信号帯域の周波数帯域をカットすることで、ステレオからモノラルに切り替えることもできる。すなわち、抑制部１４は、アナログ放送に対するステレオセパレーションによりアナログ放送の音響特性についてノイズの抑制処理を行うことができる。
【００３９】
抑制部１４は、かかる抑制処理をアナログ放送信号の受信状態に基づいて行う。そして、抑制部１４は、予測部１８が放送の切り替わりを予測した場合に、かかる抑制処理を中止することで、アナログ放送の音響特性をデジタル放送の音響特性へ近づける。
【００４０】
また、抑制部１４は、抑制処理を施したアナログ放送信号をブレンド部１９へ出力する。なお、抑制部１４による処理の詳細については、図４および図５を用いて後述する。
【００４１】
デジタル復調部１５は、いわゆるデコーダーであり、ＡＤＣ１２から入力されるデジタル放送信号を復調する。デジタル復調部１５は、ＯＦＤＭ（Orthogonal  Frequency-Division  Multiplexing）変調されているデジタル放送信号をＯＦＤＭ復調する。
【００４２】
また、デジタル復調部１５は、ＯＦＤＭ復調したデジタル放送信号に対して符号の誤り検出を行ったうえで誤り訂正を行う。そして、デジタル復調部１５は、誤り訂正したデジタル放送信号を調整部１６へ出力する。
【００４３】
また、デジタル復調部１５は、ＯＦＤＭ復調したデジタル放送信号の受信状態を示すＣ／Ｎ（Carrier  to  Noise  ratio）比を算出し、算出結果を予測部１８へ出力する。
【００４４】
なお、デジタル復調部１５は、Ｃ／Ｎ比に代えて、ビットエラーレート、変調誤差比（いわゆる、ＭＥＲ；Modulation  Error  Ratio）などを算出することにしてもよい。
【００４５】
調整部１６は、例えば、ＢＰＦ（Band  Pass  Filter）であり、デジタル放送信号の受信状態に基づいてデジタル放送信号の所定周波数帯域を減衰させることで、デジタル放送の音響特性を調整する。そして、調整部１６は、調整したデジタル放送信号をブレンド部１９へ出力する。
【００４６】
なお、調整部１６は、ＢＰＦに限られず、抑制部１４と同様に、オートセパレーションや音圧等を調整することにより、デジタル放送の音響特性を調整することにしてもよい。また、調整部１６による処理の詳細については、図４および図５を用いて後述する。
【００４７】
Ｓレベル検知部１７は、ＡＤＣ１２から入力されるアナログ放送信号の受信電界強度（以下、「Ｓレベル」という）を検知し、検知結果を予測部１８へ出力する。なお、Ｓレベルは、アナログ放送信号の受信状態を示す指標の一例であり、Ｓレベル検知部１７は、かかる指標としてＳレベルに代えて、マルチパスレベルや混信レベルを検出することにしてもよい。
【００４８】
予測部１８は、デジタル放送信号の受信状態に基づいてアナログ放送およびデジタル放送のうち一方の放送から他方の放送の切り替わりを予測する。具体的には、予測部１８は、デジタル復調部１５から入力されるデジタル放送信号の受信状態の履歴に基づいて現在のデジタル放送のバッファ量を推定する。
【００４９】
そして、予測部１８は、デジタル放送を出力中に、推定したバッファ量が図３にて後述する閾値ＴＨａよりも少なくなった場合に、デジタル放送からアナログ放送へ放送が切り替わると予測することができる。
【００５０】
また、予測部１８は、アナログ放送を出力中に、推定したバッファ量が閾値ＴＨａよりも多くなった場合に、アナログ放送からデジタル放送へ放送が切り替わると予測することができる。
【００５１】
ブレンド部１９は、予測部１８によって放送が切り替わると予測された場合に、デジタル放送信号およびアナログ放送信号を任意の混合比でブレンドする。
【００５２】
例えば、ブレンド部１９は、デジタル放送からアナログ放送へ放送を切り替える場合、デジタル放送信号の出力レベルを徐々に低下させ、アナログ放送信号の出力レベルを徐々に上昇させることで、デジタル放送信号およびアナログ放送信号をブレンドする。
【００５３】
また、ブレンド部１９は、ブレンドしたデジタルのデジタル放送信号およびアナログ放送信号をアナログの音声信号へ変換し、スピーカ１０１へ出力する。
【００５４】
次に、図３を用いて予測部１８による予測処理の具体例について説明する。図３は、予測部１８による予測処理の具体例を示す図である。予測部１８は、例えば、デジタル放送信号の受信状態の履歴に基づいて現在のデジタル復調部１５に蓄積されているデジタル放送の現在のバッファ量を推定することができる。
【００５５】
具体的には、デジタル復調部１５は、デジタル放送信号の受信状態によってデコード可能なデジタル放送のバッファ量が異なる。例えば、デジタル放送信号の受信状態が良好である場合、デジタル放送のバッファ量は増加し、デジタル放送信号の受信状態が悪化している場合、デジタル放送のバッファ量は減少する。デジタル放送のバッファがなくなると、デジタル放送を出力することができないため、アナログ放送へ放送が切り替わることとなる。
【００５６】
そこで、予測部１８は、デジタル放送信号の受信状態の履歴に基づいて現在のバッファ量を推定し、かかるバッファ量が図３に示す閾値ＴＨａを下回った場合に、デジタル放送からアナログ放送へ放送が切り替わると予測する。
【００５７】
同様に、予測部１８は、推定したバッファ量が閾値ＴＨａを再び上回った場合に、デジタル放送からアナログ放送へ放送が切り替わると予測することができる。
【００５８】
そして、予測部１８は、放送の切り替わりを予測した場合に、図４および図５にて後述する切替予測フラグを反転させる。これにより、抑制部１４および調整部１６は、放送の切り替わりに向けてアナログ放送およびデジタル放送の音響特性の制御を開始することとなる。
【００５９】
次に、図４および図５を用いて実施形態に係る放送受信装置１による動作について説明する。図４および図５は、放送受信装置による動作を示す図である。
【００６０】
図４では、デジタル放送からアナログ放送へ放送が切り替わる場合について説明し、図５では、アナログ放送からデジタル放送へ放送が切り替わる場合について説明する。
【００６１】
図４のＡには、アナログ放送信号のＳレベルを示し、図４のＢには、デジタル放送の受信状態を示す。また、図４のＣには、予測部１８が推定するデジタル放送のバッファ量を示し、図４のＤには、予測部１８によって予測される放送の切り替わりを示す切り替え予測フラグを示す。
【００６２】
また、図４のＥには、デジタル放送の音響特性の推移を示し、図４のＦには、アナログ放送の音響特性の推移を示す。そして、図４のＧには、ブレンド部１９によるブレンド処理の推移を示し、図４のＨには、出力中の音響特性を示す。
【００６３】
図４のＡに示すように、時刻ｔ１より、アナログ放送信号のＳレベルが低下した場合、図４のＢに示すように、時刻ｔ１より所定時間遅れてデジタル放送信号の受信状態が低下する。
【００６４】
そして、図４のＣに示すように、バッファ量が閾値ＴＨａより低下すると、図４のＤに示すように、予測部１８は、時刻ｔ３において切替予測フラグをデジタルからアナログへフラグを反転させる。
【００６５】
かかる切替予測フラグが反転すると、図４のＥに示すように、調整部１６は、時刻ｔ３においてデジタル放送の音響特性をアナログ放送の音響特性へ近づける処理を開始する。
【００６６】
また、図４のＦに示すように、時刻ｔ３において抑制部１４は、アナログ放送の音響特性についてノイズの抑制処理を中止し、アナログ放送の音響特性をデジタル放送の音響特性へ近づける。
【００６７】
また、図４のＧに示すように、ブレンド部１９は、時刻ｔ４からデジタル放送信号のゲインを下げ、アナログ放送信号のゲインを上げることで、デジタル放送からアナログ放送へ徐々に放送の切り替えを行う。
【００６８】
そして、ブレンド部１９によってデジタル放送からアナログ放送へ放送の切り替えが完了する時刻ｔ４において、図４のＦに示すように、抑制部１４は、アナログ放送の音響特性に対してノイズの抑制処理を再開し、アナログ放送の音響特性に対するノイズの抑制処理の強度を強くする。
【００６９】
これにより、時刻ｔ４以降の出力中の音響特性に対するノイズの混入を徐々に抑えることができる。
【００７０】
また、抑制部１４および調整部１６は、時刻ｔ４におけるデジタル放送の音響特性と、アナログ放送の音響特性とが一致するようにアナログ放送の音響特性およびデジタル放送の音響特性をそれぞれ制御する。
【００７１】
換言すると、放送受信装置１は、デジタル放送からアナログ放送へ放送が切り替わるタイミングにおいて、デジタル放送の音響特性からアナログ放送の音響特性へ継ぎ目なく受け渡す。
【００７２】
これにより、放送の切り替わりにおける音質の変化を抑えることができる。また、実施形態に係る放送受信装置１は、時刻ｔ３〜ｔ４におけるデジタル放送の音響特性の傾きと、時刻ｔ４〜ｔ５におけるアナログ放送の音響特性の傾きとが一致するようにデジタル放送の音響特性およびアナログ放送の音響特性をそれぞれ制御する。
【００７３】
これにより、図５のＨに示すように、時刻ｔ２〜ｔ５の長い期間をかけてデジタル放送の音響特性からアナログ放送の音響特性へ緩やかに出力中の音響特性を制御することができる。
【００７４】
すなわち、実施形態に係る放送受信装置１は、デジタル放送からアナログ放送へ放送が切り替わりに先立って、デジタル放送の音響特性をアナログ放送の音響特性へ近づけておくことで、放送の切り替わりにおける音質の変化を少なくすることができる。
【００７５】
換言すると、放送受信装置１では、デジタル放送の音響特性とアナログ放送の音響特性を連動させて制御することで、単位時間当たりの音響特性の変化率を少なくすることができる。
【００７６】
したがって、放送受信装置１は、デジタル放送からアナログ放送へ放送が切り替わる場合に、音質の変化をユーザに感じさせないようにすることができる。
【００７７】
なお、放送の切り替わる時刻ｔ４においてデジタル放送の音響特性とアナログ放送の音響特性は、必ずしも一致する必要はなく、所定の誤差を許容するものとする。また、デジタル放送の音響特性の変化率と、アナログ放送の音響特性の変化率についても、必ずしも一致する必要はなく、所定の誤差を許容するものとする。
【００７８】
次に、図５を用いてアナログ放送からデジタル放送へ放送が切り替わる場合について説明する。なお、図５のＡ〜Ｈの各項目は、図４と同様であるため、ここでの説明は省略する。
【００７９】
図５のＡに示すように、時刻ｔ６よりアナログ放送信号のＳレベルが上昇した場合、図５のＥに示すように、抑制部１４は、Ｓレベルに追従させてアナログ放送の音響特性をデジタル放送の音響特性へ近づける。
【００８０】
そして、図５のＤに示すように、時刻ｔ７において切替予測フラグがアナログからデジタルに反転した場合、図５のＥに示すように、調整部１６は、デジタル放送の音響特性をアナログ放送の音響特性へ近づける。
【００８１】
ここで、予測部１８は、アナログ放送信号のＳレベルに基づいて現在（時刻ｔ７）のアナログ放送の音響特性を予測し、調整部１６へ出力する。これにより、調整部１６は、デジタル放送の音響特性をアナログ放送の音響特性と一致させることができる。
【００８２】
そして、調整部１６は、アナログ放送へ近づけたデジタル放送の音響特性を徐々に戻す。なお、かかる場合に、調整部１６は、例えば、時刻ｔ６〜ｔ７の期間におけるアナログ放送の音響特性の傾きと、時刻ｔ７以降のデジタル放送の音響特性の傾きが一致するようにデジタル放送の音響特性を調整する。
【００８３】
これにより、放送受信装置１は、アナログ放送からデジタル放送に放送が切り替わる場合であっても、出力中の音響特性を滑らかに切り替えることができる。すなわち、アナログ放送からデジタル放送へ放送が切り替わる場合であっても、単位時間当たりの音質の変化率を小さくすることで、放送の切り替わりにおける音質の変化をユーザに感じさせないようにすることができる。
【００８４】
次に、図６および図７を用いて実施形態に係る放送受信装置１が実行する処理手順について説明する。図６および図７は、放送受信装置１が実行する処理手順を示すフローチャートである。なお、図６は、放送受信装置１がデジタル放送を出力中の処理手順を示し、図７は、放送受信装置１がアナログ放送を出力中の処理手順を示す。
【００８５】
図６に示すように、まず、受信部１１は、放送信号を受信し（ステップＳ１０１）、予測部１８は、推定したバッファ量が閾値ＴＨａより大きいか否かを判定する（ステップＳ１０２）。
【００８６】
この判定において、放送受信装置１は、バッファ量が閾値ＴＨａよりも大きい場合（ステップＳ１０２，Ｙｅｓ）、デジタル放送の出力を継続して（ステップＳ１０６）、処理を終了する。
【００８７】
一方、予測部１８は、バッファ量が閾値ＴＨａ以下である場合（ステップＳ１０２，Ｎｏ）、切替予測フラグをアナログ放送へ切り替える（ステップＳ１０３）。
【００８８】
続いて、抑制部１４は、アナログ放送の音響特性に対するノイズの抑制処理を中止し（ステップＳ１０４）、また、ブレンド部１９は、デジタル放送からアナログ放送へ放送を切り替えるブレンド処理を実行し（ステップＳ１０５）、処理を終了する。
【００８９】
なお、放送受信装置１は、上述したようにステップＳ１０４およびステップＳ１０５の処理手順を並列に開始することもできるし、あるいは、ステップＳ１０５の処理を開始した後にステップＳ１０４の処理を開始することにしてもよい。
【００９０】
次に、図７を用いて放送受信装置１がアナログ放送を出力中に行う処理手順について説明する。なお、ステップＳ１０１の処理については、図６で説明したため、ステップＳ２０１から説明を行う。
【００９１】
アナログ放送を放送中に、予測部１８は、バッファ量が閾値ＴＨａよりも小さいか否かを判定する（ステップＳ２０１）。かかる判定において、放送受信装置１は、バッファ量が閾値未満である場合（ステップＳ２０１，Ｙｅｓ）、アナログ放送の出力を継続して（ステップＳ２０５）、処理を終了する。
【００９２】
一方、予測部１８は、ステップＳ２０１の判定においてバッファ量が閾値ＴＨａ以上だった場合（ステップＳ２０１，Ｎｏ）、切替予測フラグをデジタル放送へ切り替える（ステップＳ２０２）。
【００９３】
そして、ブレンド部１９は、アナログ放送からデジタル放送へ放送を切り替えるブレンド処理を行って（ステップＳ２０４）、処理を終了する。
【００９４】
なお、上記のように、放送受信装置１は、ステップＳ２０３およびステップＳ２０４の処理を並列に開始してもよいし、ステップＳ２０４の処理を開始した後にステップＳ２０３の処理を開始するようにしてもよい。
【００９５】
上述したように、実施形態に係る放送受信装置１は、受信部１１と、抑制部１４と、予測部１８とを備える。受信部１１は、放送内容が同一のアナログ放送の信号およびデジタル放送の信号を受信する。抑制部１４は、受信部１１によって受信されるアナログ放送の信号の受信状態に基づいてアナログ放送の音響特性についてノイズの抑制処理を行う。
【００９６】
予測部１８は、受信部１１によって受信されるデジタル放送の信号の受信状態に基づいてアナログ放送およびデジタル放送の一方の放送から他方の放送へ放送の切り替わりを予測する。また、抑制部１４は、予測部１８によって放送が切り替わると予測された場合に、抑制処理を中止し、アナログ放送の音響特性をデジタル放送の音響特性へ近づける。したがって、実施形態に係る放送受信装置１によれば、放送の切り替わりにおける音質の変化を低減することができる。
【００９７】
ところで、放送受信装置１は、周囲の受信環境、放送内容を示すコンテンツ情報、搭載される車両等により、アナログ放送の音響特性に対してノイズの抑制処理を中止し、かかる音響特性をデジタル放送の音響特性へどこまで近づけるかを決定することもできる。
【００９８】
そこで、図８を用いてかかる点の詳細について説明する。図８は、アナログ放送の音響特性とノイズレベルの関係を示す図である。
【００９９】
同図のＡには、デジタル放送の音響特性の推移を示し、同図のＢには、アナログ放送の音響特性の推移を示す。そして、同図のＣには、アナログ放送の音響特性のノイズレベルを示す。
【０１００】
なお、以下では、アナログ放送の音響特性についてノイズの抑制処理を中止した際のアナログ放送の音響特性の値を「決定値Ｐ」と記載する。図８に示す例では、決定値Ｐは、例えば、３つの値（Ｐ１〜Ｐ３）を有する。
【０１０１】
例えば、放送受信装置１は、デジタル放送およびアナログ放送の音響特性を決定値Ｐ１を通過する線分Ｓ１、決定値Ｐ２を通過する線分Ｓ２および決定値Ｐ３を通過する線分Ｓ３に沿って制御することができる。
【０１０２】
かかる線分Ｓ１、線分Ｓ２３および線分Ｓ３では、線分Ｓ１が線分Ｓ２、Ｓ３に比べて最も傾きが緩やかである。このため、線分Ｓ１に沿ってデジタル放送およびアナログ放送の音響を制御することで、デジタル放送の音響特性からアナログ放送の音響特性へ最も緩やかに音響を制御することができる。すなわち、放送の切り替わりにおける音質の変化を抑えることができる。
【０１０３】
しかし、線分Ｓ１に沿って音響を制御した場合、同図のＣに示すように、線分Ｓ１に対応するノイズレベルＮ１が、線分Ｓ２に対応するノイズレベルＮ２や線分Ｓ３に対応するノイズレベルＮ３に比べて最も高い値となる。
【０１０４】
また、線分Ｓ３に沿ってデジタル放送およびアナログ放送の音響特性を制御する場合、線分Ｓ３の傾きが他の線分（Ｓ１、Ｓ２）に比べて急である。このため、線分Ｓ３に沿って音響特性を制御する場合、他の線分に沿って音響特性を制御する場合に比べて、放送の切り替わりにおける音響特性の変化が急になる。
【０１０５】
しかし、線分Ｓ３に沿って音響を制御する場合のノイズレベルＮ３は、ノイズレベルＮ１やノイズレベルＮ２に比べて低い値となる。つまり、放送の切り替わり時における音質の変化を低減することと（以下、音質変化重視という）、ノイズレベルを抑制すること（以下、ノイズ抑制重視という）とは背反の関係にある。
【０１０６】
このため、放送受信装置１は、コンテンツ情報に基づいてコンテンツに応じて適切に音響制御を行う。具体的には、放送受信装置１は、例えば、コンテンツ情報が音楽を示す場合、線分Ｓ１に沿ってデジタル放送およびアナログ放送の音響特性を制御する。すなわち、かかる場合に、放送受信装置１は、音質変化重視で音響特性を制御する。
【０１０７】
一方、放送受信装置１は、例えば、コンテンツ情報がニュースである場合、線分Ｓ３に沿ってデジタル放送およびアナログ放送の音響を制御する。かかる場合に、放送受信装置１は、ノイズ抑制重視で音響特性を制御する。
【０１０８】
さらに、放送受信装置１は、例えば、コンテンツ情報がバラエティである場合、線分Ｓ２に沿ってデジタル放送およびアナログ放送の音響を制御する。すなわち、かかる場合に、放送受信装置１は、音質変化重視およびノイズ抑制重視の中間となるように音響特性を制御する。
【０１０９】
これは、出力中の放送内容が音楽である場合、ユーザはノイズを聞き取りにくいためである。また、かかる放送内容がニュースである場合、放送内容における会話の途切れるタイミングでユーザがノイズを聞き取りやすいためである。
【０１１０】
そして、かかる放送内容がバラエティである場合、音響特性を音質変化重視およびノイズ抑制重視の中間に設定しておくことで、双方に対応することが可能となる。
【０１１１】
つまり、実施形態に係る放送受信方法では、コンテンツ情報に基づいて決定値Ｐを決定することにより、コンテンツに応じて適切な音響を提供することが可能となる。なお、上記したコンテンツと、決定値Ｐとは、一例であり、これに限定されるものではない。例えば、放送受信装置１は、コンテンツが音楽である場合であっても、クラシックやロックなど音楽の種類に応じて異なる決定値Ｐを設定することもできる。また、上記の例では、決定値Ｐ３が３つである場合について示したが、決定値Ｐは、２つ以下または４つ以上であってもよい。
【０１１２】
また、放送受信装置１は、コンテンツ情報に加えて、ユーザ設定により決定値Ｐを設定したり、受信環境によって決定値Ｐを設定したりすることができる。
【０１１３】
例えば、放送受信装置１は、ユーザ操作を受け付ける受付部を備え、ユーザは、かかるユーザ操作により決定値Ｐを設定することができる。これにより、放送受信装置１は、ユーザ自身の嗜好にあわせた音響を提供することができる。
【０１１４】
次に、放送受信装置１が、受信環境によって決定値Ｐを決定する場合について説明する。かかる場合に、放送受信装置１は、取得部を備えるとともに、デジタル放送とアナログ放送との放送の切り替わりが発生する地点を示すマップを記憶する。
【０１１５】
かかる取得部は、環境情報として例えば、図示しないＧＰＳから車両の現在地を示す位置情報を取得する。放送受信装置１は、かかる位置情報およびマップに基づき、現在地周辺におけるデジタル放送とアナログ放送との切り替わりが発生する頻度を予測する。
【０１１６】
そして、放送受信装置１は、予測した頻度が上限値よりも多い場合、上記の線分Ｓ１を通過するように、デジタル放送およびアナログ放送の音響特性を制御する。
【０１１７】
また、放送受信装置１は、かかる頻度が上限値未満、下限値以上である場合、上記の線分２を通過するように、デジタル放送およびアナログ放送の音響特性を制御する。
【０１１８】
そして、放送受信装置１は、かかる頻度が下限値未満である場合、上記の線分３を通過するように、デジタル放送およびアナログ放送の音響特性を制御する。
【０１１９】
つまり、放送受信装置１は、放送の切り替わりが頻繁に発生する場合、音質変化重視で音響を制御し、放送の切り替わりの発生頻度が少ない場合、ノイズ低減重視により音響を制御する。
【０１２０】
これは、放送の切り替わりが頻繁に発生する場合、頻繁に音質が変化することで、ユーザが、かかる音質の変化を聞き取りやすくないためである。すなわち、かかる場合に、放送受信装置１は、音質変化重視により音響を制御することで、放送の切り替わりにおける音質の変化による違和感をユーザへ与えないようにする。
【０１２１】
一方、放送受信装置１は、放送の切り替わりが少ない場合、ノイズ低減重視で音響特性を制御する。これは、放送の切り替わりが少ない場合、放送の切り替わりが頻繁に発生する場合に比べてユーザが音質の変化を感じ難いためである。
【０１２２】
つまり、放送受信装置１は、受信環境に基づいて決定値Ｐを設定することで、受信環境に応じて最適な音響を提供することが可能となる。
【０１２３】
また、放送受信装置１は、搭載される車両に応じて決定値Ｐを設定することもできる。具体的には、放送受信装置１は、例えば、かかる車両が軽自動車である場合、決定値Ｐを決定値Ｐ１に設定し、車両がミニバンである場合、決定値Ｐを決定値Ｐ２に設定する。また、放送受信装置１は、車両が高級セダンである場合、決定値Ｐを決定値Ｐ３に設定する。
【０１２４】
すなわち、放送受信装置１は、搭載される車両のグレードが高いほど、ノイズ低減重視で音響を制御する。これは、一般にグレードが高いほど、車内の静寂性が高く、ユーザがノイズを聞き取りやすいためである。
【０１２５】
つまり、放送受信装置１は、車両のオーディオ環境に応じて決定値Ｐを設定することで、車両に応じて最適な音響を提供することができる。なお、上記したグレードに基づく決定値Ｐは一例であり、車種等や、オーディオ環境によって任意に決定値を設定することもできる。
【０１２６】
また、放送受信装置１は、車速に応じて決定値Ｐを設定することもできる。例えば、車速が速いほど、音質変化重視で音響を制御し、車速が遅いほど、ノイズ低減重視で音響を制御することもできる。
【０１２７】
これは、車速が速いほど、ロードノイズ等による騒音が大きくなり、ユーザは、スピーカ１０１から出力される音響のノイズを気になりにくいためである。つまり、放送受信装置１は、車速に応じて決定値Ｐを設定することで、車速に応じて最適な音響を提供することができる。
【０１２８】
なお、かかる場合に、放送受信装置１は、車両の駆動源がモータである場合と、エンジンである場合とで異なる決定値Ｐを設定することもできる。例えば、車両の駆動源がモータである場合、モータから発せられる騒音は小さく、駆動源がエンジンである場合、エンジンから発せられる騒音は大きくなるためである。
【０１２９】
また、放送受信装置１は、車両の駆動源がモータである場合、ノイズ低減重視で音響を制御し、駆動源がエンジンである場合、音質変化重視で音響を制御することもできる。
【０１３０】
また、放送受信装置１は、車両がハイブリッド車である場合、モータ駆動時と、エンジン駆動時でノイズ低減重視および音質変化重視を切り替えることもできる。なお、放送受信装置１は、エンジン駆動時においてエンジンの回転数に応じて決定値Ｐを設定することにしてもよい。
【０１３１】
つまり、放送受信装置１は、周囲で騒音が発生しやすい環境である場合に、音質変化重視で音響を制御し、周囲で騒音が発生し難い環境である場合、ノイズ低減重視で音響を制御する。これにより、放送受信装置１は、周囲の環境に応じて最適な音響をユーザに提供することができる。
【０１３２】
なお、図８では、放送受信装置１が、線分Ｓ１〜線分Ｓ３に沿ってリニアに音響を制御する場合について説明したが、放送受信装置１は、時刻によって異なる変化率となるように、音響を制御することにしてもよい。
【０１３３】
さらなる効果や変形例は、当業者によって容易に導き出すことができる。このため、本発明のより広範な様態は、以上のように表しかつ記述した特定の詳細および代表的な実施形態に限定されるものではない。したがって、添付の特許請求の範囲および、その均等物によって定義される統括的な発明の概念の精神または範囲から逸脱することなく、様々な変化が可能である。
【符号の説明】
【０１３４】
１〜３      放送受信装置
１１      受信部
１２      ＡＤＣ
１３      アナログ復調部
１４      抑制部
１５      デジタル復調部
１６      調整部
１７      Ｓレベル検知部
１８      予測部
１９      ブレンド部
【図１】
2018195890.tif 000003
【図２】
2018195890.tif 000004
【図３】
2018195890.tif 000005
【図４】
2018195890.tif 000006
【図５】
2018195890.tif 000007
【図６】
2018195890.tif 000008
【図７】
2018195890.tif 000009
【図８】
2018195890.tif 000010